(57)【要約】【課題】この発明の課題は、待機時に受信可否の判断をする素子以外への給電を遮断することが可能な、通信端末装置およびその制御方法を提供する。【解決手段】ＩＳＤＮ網制御部５は、常時電源ユニット３から給電される素子と、ＳＵＢ電源ユニット４から給電される素子にグループ分けを行うことで、待機時には常時電源ユニット３のみの給電でＣＰＵ９２、Ｌａｙｅｒ１制御部９１、出力ポート９５のみを動作させ、待機時のプログラムは少量のＣＰＵ内蔵ＲＯＭ９３或いはＣＰＵ内蔵ＲＡＭ９４で動作させる。【選択図】　図２
2004112640.tif 000002
【特許請求の範囲】
【請求項１】
統合ディジタル通信網からの呼設定情報に基づき統合ディジタル通信網との接続を制御する網制御手段を有する通信端末装置において、
前記網制御手段は、
前記統合ディジタル通信網に接続される第１の通信制御手段と、
内蔵メモリを有し、前記第１の通信制御手段の出力に基づき少なくとも前記統合ディジタル通信網からの呼設定情報に基づき受信の可否を判断する制御手段と、
制御プログラムを格納する外部メモリを有し、前記統合ディジタル通信網との通信を制御する第２の通信制御手段と
を具備し、
前記制御手段は、
通常状態においては、前記第１の通信制御手段および前記第２の通信制御手段を動作させ、待機状態においては、前記第２の通信制御手段に対する給電を遮断して前記第１の通信制御手段を動作させて前記統合ディジタル通信網からの呼設定情報に基づき受信の可否を判断し、受信が可と判断された場合は、前記第２の通信制御手段に対する給電を復帰させて、前記第１の通信制御手段および前記第２の通信制御手段を動作させる前記通常状態に移行する
ことを特徴とする通信端末装置。
【請求項２】
前記第１の通信制御手段は、
前記統合ディジタル通信網とのレイヤ１の通信を制御する
ことを特徴とする請求項１記載の通信端末装置。
【請求項３】
前記内蔵メモリは、
前記制御手段の制御プログラムを予め格納する不揮発性メモリと、
前記制御手段の制御情報を記憶する揮発性メモリと
を有する
ことを特徴とする請求項１記載の通信端末装置。
【請求項４】
前記内蔵メモリは、
揮発性メモリからなり、
初期状態において前記外部メモリから制御手段の制御プログラムをダウンロードする
ことを特徴とする請求項１記載の通信端末装置。
【請求項５】
前記内蔵メモリは、
揮発性メモリからなり、
前記待機状態への移行に際して前記外部メモリから制御手段の制御プログラムをダウンロードする
ことを特徴とする請求項１記載の通信端末装置。
【請求項６】
前記制御手段は、
前記第１の通信制御手段の出力に基づき前記通常状態から前記待機状態への移行および前記待機状態から前記通常状態への復帰を制御する
ことを特徴とする請求項１記載の通信端末装置。
【請求項７】
統合ディジタル通信網からの呼設定情報に基づき統合ディジタル通信網との接続を制御する網制御手段を有する通信端末装置の制御方法であって、
前記網制御手段は、
前記統合ディジタル通信網に接続される第１の通信制御手段と、
内蔵メモリを有し、前記第１の通信制御手段の出力に基づき少なくとも前記統合ディジタル通信網からの呼設定情報に基づき受信の可否を判断する制御手段と、
制御プログラムを格納する外部メモリを有し、前記統合ディジタル通信網との通信を制御する第２の通信制御手段と
を有し、
前記制御手段は、
通常状態においては、前記第１の通信制御手段および前記第２の通信制御手段を動作させ、待機状態においては、前記第２の通信制御手段に対する給電を遮断して前記第１の通信制御手段を動作させて前記統合ディジタル通信網からの呼設定情報に基づき受信の可否を判断し、受信が可と判断された場合は、前記第２の通信制御手段に対する給電を復帰させて、前記第１の通信制御手段および前記第２の通信制御手段を動作させる前記通常状態に移行させる
ことを特徴とする通信端末装置の制御方法。
【請求項８】
前記第１の通信制御手段は、
前記統合ディジタル通信網とのレイヤ１の通信を制御する
ことを特徴とする請求項７記載の通信端末装置の制御方法。
【請求項９】
前記内蔵メモリは、
前記制御手段の制御プログラムを予め格納する不揮発性メモリと、
前記制御手段の制御情報を記憶する揮発性メモリと
を有する
ことを特徴とする請求項７記載の通信端末装置の制御方法。
【請求項１０】
前記内蔵メモリは、
揮発性メモリからなり、
初期状態において前記外部メモリから制御手段の制御プログラムをダウンロードする
ことを特徴とする請求項７記載の通信端末装置の制御方法。
【請求項１１】
前記内蔵メモリは、
揮発性メモリからなり、
前記待機状態への移行に際して前記外部メモリから制御手段の制御プログラムをダウンロードする
ことを特徴とする請求項７記載の通信端末装置の制御方法。
【請求項１２】
前記制御手段は、
前記第１の通信制御手段の出力に基づき前記通常状態から前記待機状態への移行および前記待機状態から前記通常状態への復帰を制御する
ことを特徴とする請求項７記載の通信端末装置の制御方法。
【発明の詳細な説明】
【０００１】
【発明の属する技術分野】
本発明は、通信端末装置およびその制御方法に関し、特に、ＩＳＤＮ網に接続され、待機時の省電力化を実現する通信端末装置およびその制御方法に関するものである。
【０００２】
【従来の技術】
近年、事務機器や通信機器等を省電力化し、消費電力を低減することが強く望まれている。このような流れの中で、様々な省電力化技術が提案されており、比較的消費電力の大きいファクシミリ等の通信端末装置では、省電力化が実現されているものも多い。
【０００３】
特許文献１に記載の「通信端末装置およびその制御方法」では、通信端末装置において、主制御部とＩＳＤＮ網制御部で構成される通信装置において、待機時には、主制御部への給電を遮断することにより、低消費電力にて動作できる通信端末装置が提案されている。
【０００４】
【特許文献１】
特開２００１−２９２２４９号公報。
【０００５】
【発明が解決しようとする課題】
ところで、最近は、事務機器等の運用コスト削減テーマの一つとして、消費電力の低減化が、高いレベルで要求されている。
【０００６】
待機中のＩＳＤＮ網制御部は、ＩＳＤＮ網からの受信情報の内容を解析し、自端末が受信すべきかどうかの判定を行っている。
【０００７】
ここで、待機中に受信判断を実現する為の必要最小限の構成要素を検討した場合、ＩＳＤＮ網制御部全体を制御するプログラムＲＯＭやワークＲＡＭの容量は必要がなく、受信判定処理に関与しない素子に通電することは、電力を無駄に消費する要因となっていることが判明した。
【０００８】
本発明は、ＩＳＤＮ通信端末が待機状態の時に、ＩＳＤＮ網制御の受信判定を行う以外の素子に対して給電を遮断することで、待機時の消費電力を低減化する通信制御装置および通信制御方法の提供を目的とする。
【０００９】
【課題を解決するための手段】
上記目的を達成するために、請求項１の発明は、統合ディジタル通信網からの呼設定情報に基づき統合ディジタル通信網との接続を制御する網制御手段を有する通信端末装置において、網制御手段は、統合ディジタル通信網に接続される第１の通信制御手段と、内蔵メモリを有し、第１の通信制御手段の出力に基づき少なくとも統合ディジタル通信網からの呼設定情報に基づき受信の可否を判断する制御手段と、制御プログラムを格納する外部メモリを有し、統合ディジタル通信網との通信を制御する第２の通信制御手段とを具備し、制御手段は、通常状態においては、第１の通信制御手段および第２の通信制御手段を動作させ、待機状態においては、第２の通信制御手段に対する給電を遮断して第１の通信制御手段を動作させて統合ディジタル通信網からの呼設定情報に基づき受信の可否を判断し、受信が可と判断された場合は、第２の通信制御手段に対する給電を復帰させて、第１の通信制御手段および第２の通信制御手段を動作させる通常状態に移行することを特徴とする。
【００１０】
また、請求項２の発明は、請求項１の発明において、第１の通信制御手段は、統合ディジタル通信網とのレイヤ１の通信を制御することを特徴とする。
【００１１】
また、請求項３の発明は、請求項１の発明において、内蔵メモリは、制御手段の制御プログラムを予め格納する不揮発性メモリと、制御手段の制御情報を記憶する揮発性メモリとを有することを特徴とする。
【００１２】
また、請求項４の発明は、請求項１の発明において、内蔵メモリは、揮発性メモリからなり、初期状態において外部メモリから制御手段の制御プログラムをダウンロードすることを特徴とする。
【００１３】
また、請求項５の発明は、請求項１の発明において、内蔵メモリは、揮発性メモリからなり、待機状態への移行に際して外部メモリから制御手段の制御プログラムをダウンロードすることを特徴とする。
【００１４】
また、請求項６の発明は、請求項１の発明において、制御手段は、第１の通信制御手段の出力に基づき通常状態から待機状態への移行および待機状態から通常状態への復帰を制御することを特徴とする。
【００１５】
また、請求項７の発明は、統合ディジタル通信網からの呼設定情報に基づき統合ディジタル通信網との接続を制御する網制御手段を有する通信端末装置の制御方法であって、網制御手段は、統合ディジタル通信網に接続される第１の通信制御手段と、内蔵メモリを有し、第１の通信制御手段の出力に基づき少なくとも統合ディジタル通信網からの呼設定情報に基づき受信の可否を判断する制御手段と、制御プログラムを格納する外部メモリを有し、統合ディジタル通信網との通信を制御する第２の通信制御手段とを有し、制御手段は、通常状態においては、第１の通信制御手段および第２の通信制御手段を動作させ、待機状態においては、第２の通信制御手段に対する給電を遮断して第１の通信制御手段を動作させて統合ディジタル通信網からの呼設定情報に基づき受信の可否を判断し、受信が可と判断された場合は、第２の通信制御手段に対する給電を復帰させて、第１の通信制御手段および第２の通信制御手段を動作させる通常状態に移行させることを特徴とする。
【００１６】
また、請求項８の発明は、請求項７の発明において、第１の通信制御手段は、統合ディジタル通信網とのレイヤ１の通信を制御することを特徴とする。
【００１７】
また、請求項９の発明は、請求項７の発明において、内蔵メモリは、制御手段の制御プログラムを予め格納する不揮発性メモリと、制御手段の制御情報を記憶する揮発性メモリとを有することを特徴とする。
【００１８】
また、請求項１０の発明は、請求項７の発明において、内蔵メモリは、揮発性メモリからなり、初期状態において外部メモリから制御手段の制御プログラムをダウンロードすることを特徴とする。
【００１９】
また、請求項１１の発明は、請求項７の発明において、内蔵メモリは、揮発性メモリからなり、待機状態への移行に際して外部メモリから制御手段の制御プログラムをダウンロードすることを特徴とする。
【００２０】
また、請求項１２の発明は、請求項７の発明において、制御手段は、第１の通信制御手段の出力に基づき通常状態から待機状態への移行および待機状態から通常状態への復帰を制御することを特徴とする。
【００２１】
【発明の実施の形態】
以下、この発明に係る通信端末装置およびその制御方法の一実施の形態について、添付図面を参照して詳細に説明する。
【００２２】
図１は、通信端末装置の構成を示すブロック図である。
【００２３】
同図に示すように、通信端末装置は、ＭＡＩＮ電源ユニット１、端末主機能部２、システムバス６、ＩＳＤＮ網制御部５、常時電源ユニット３、ＳＵＢ電源ユニット４を具備して構成される。
【００２４】
端末主機能部２は、通信端末装置（図示せず）の主機能を実現する為に、ＣＰＵ（１）２１、プログラムＲＯＭ（１）２２、メモリ（１）２３、操作／表示部２４、Ｇ３通信制御部２５、Ｇ４通信制御部２６、画像出力部２７、画像入力部２８を具備して構成される。
【００２５】
ＣＰＵ（１）２１は、プログラムＲＯＭ（１）２２に記憶された制御プログラムに基づいて動作し、端末主機能部２全体を制御する。
【００２６】
メモリ（１）２３は、ＲＡＭ（図示せず）やハードディスク（図示せず）等で構成され、端末主機能部２の動作に必要な情報を格納するほか、ＣＰＵ（１）２１が動作する際の作業領域として使用される。
【００２７】
操作／表示部２４は、コントロールパネル等のユーザインタフェイスであり、ユーザからの操作を受け付け、ユーザへの操作メニューや設定情報等を表示する。
【００２８】
Ｇ３通信制御部２５、Ｇ４通信制御部２６は、各々ＩＳＤＮ網７およびＩＳＤＮ網制御部５を介して接続された相手先とＧ３通信、Ｇ４通信を行う。
【００２９】
画像出力部２７は、ファクシミリ受信文書等を印字し、画像入力部２８は、ファクシミリ送信文書等の読み取りを行う。
【００３０】
また、システムバス６は、ＩＳＤＮ網制御部５と端末主機能部２の各部でデータの授受を行うバスである。
【００３１】
ＭＡＩＮ電源ユニット１は、端末主機能部２への給電を行い、常時電源ユニット３およびＳＵＢ電源ユニット４は、ＩＳＤＮ網制御部５への給電を行う。
【００３２】
また、ＳＵＢ電源ユニット４は、後述するＩＳＤＮ網制御部５からの信号により、ＯＮ／ＯＦＦ制御される。
【００３３】
次に、ＩＳＤＮ網制御部５の内部構成について説明する。
【００３４】
図２は、ＩＳＤＮ網制御部５の第１の構成例を示すブロック図である。
【００３５】
図１で示したように、ＩＳＤＮ網制御部５は、常時電源ユニット３とＳＵＢ電源ユニット４との２つの電源ユニットから給電される。
【００３６】
この為、ＩＳＤＮ網制御部５の各素子は、常時電源ユニット３から給電される常時電源給電部９或いは、ＳＵＢ電源ユニット４から給電されるＳＵＢ電源給電部８のいずれかに属して給電される。
【００３７】
ＳＵＢ電源給電部８は、ＲＯＭ８１、ＲＡＭ８２、ＤＰＲＡＭ８３（デュアルポートＲＡＭ）で構成される。
【００３８】
ＲＯＭ８１は、さらに、ＩＳＤＮ通信規格に基づき通信制御するＬａｙｅｒ２／３制御プログラム８１１およびＢｃｈデータ制御プログラム８１２、ＩＳＤＮ網制御部５を制御するシステム制御プログラム８１３で構成される。
【００３９】
また、ＤＰＲＡＭ８３は、システムバス６に接続され、端末主機能部２との間でデータ等の授受を行う。
【００４０】
一方、常時電源給電部９は、ＣＰＵ９２、Ｌａｙｅｒ１制御部９１、出力ポート９５で構成される。
【００４１】
また、上記ＳＵＢ電源給電部８と常時電源給電部９の各素子は、ローカルバス１０により接続される。
【００４２】
ＣＰＵ９２は、ＣＰＵ内蔵ＲＯＭ９３、ＣＰＵ内蔵ＲＡＭ９４を具備し、ＲＯＭ８１およびＣＰＵ内蔵ＲＯＭ９３に記憶されているプログラムに基づいてＩＳＤＮ網制御部５全体を制御すると共に、ＳＵＢ電源ユニット４のＯＦＦ／ＯＮによる通常動作（以後、通常モードと称す）／待機動作（以後、待機モードと称す）の切り替え制御を行う。
【００４３】
Ｌａｙｅｒ１制御部９１は、ＩＳＤＮ網７に接続されＩＳＤＮ通信規格のＬａｙｅｒ１レベルでの（電気、物理的規格）の制御を行う。
【００４４】
出力ポート９５は、ＣＰＵ９２が生成したＳＵＢ電源ユニット４のＯＮ／ＯＦＦを切り換える制御信号を出力する。
【００４５】
次に、ＣＰＵ９２がＩＳＤＮ網制御部５を制御する際に参照するメモリ空間の概略を図３のメモリマップ（１）に示して説明する。
【００４６】
ＣＰＵが参照するメモリ空間は、ＲＯＭ記憶領域ｍ１１（先頭アドレス：００００００ｈ）、ＲＡＭ記憶領域ｍ１２（先頭アドレス：１０００００ｈ）、ＣＰＵ内蔵ＲＯＭ９３記憶領域ｍ１３（先頭アドレス：２０００００ｈ）、ＣＰＵ内蔵ＲＡＭ記憶領域ｍ１４（先頭アドレス：２００８００ｈ）、外部Ｉ／Ｏ領域ｍ１５に大別される。
【００４７】
ＲＯＭ記憶領域ｍ１１は、ＩＳＤＮ網制御部５を制御するプログラムを格納するシステム制御プログラム８１３領域（先頭アドレス：００００００ｈ）と、ＩＳＤＮ網７の通信制御プログラムであるＬａｙｅｒ２／３制御プログラム８１１、Ｂｃｈデータ制御プログラム８１２領域（先頭アドレス：０５００００ｈ）、Ｒｅｓｅｒｖｅ領域（先頭アドレス：０ＦＦ８００ｈ）で構成される。
【００４８】
また、ＲＡＭ記憶領域ｍ１２は、ＣＰＵ９２が通常時に各種の制御処理を行う時の参照データや作業領域となるワークメモリが格納される。
【００４９】
また、ＣＰＵ内蔵ＲＯＭ記憶領域ｍ１３は、待機時にＩＳＤＮ網７からのＳＥＴＵＰ（呼設定情報）フレームを監視しながら通信能力を判断し、通信可能な場合は通常モードへの移行を制御する受信判断プログラム９７が格納される。
【００５０】
また、ＣＰＵ内蔵ＲＡＭ記憶領域ｍ１４は、待機時に稼動する受信判断プログラム９７の参照データとして、ＩＳＤＮ網制御に必要な情報や通信端末の通信能力に関する情報（回線交換、音声／オーディオ／ディジタル、Ｇ３、Ｇ４等）が格納されるほか、待機時の作業領域となるワークメモリが格納される。
【００５１】
次に、図２の構成および図３のメモリ空間におけるＩＤＳＮ網制御部の第１の動作について説明する。
【００５２】
図４は、ＩＤＳＮ網制御部の第１の動作例を示した処理フローである。
【００５３】
常時電源ユニット３およびＳＵＢ電源ユニット４がＯＮになると、ＣＰＵ９２は、システム制御プログラム８１３を起動してＲＡＭ８２やＣＰＵ内蔵ＲＡＭ９４の初期化を行う（ステップＳ１０１）。
【００５４】
通常モードとして起動したＩＳＤＮ網制御部５は、Ｌａｙｅｒ１制御部９１、Ｌａｙｅｒ２／３制御プログラム８１１、Ｂｃｈデータ制御プログラム８１２と、ＲＡＭ８２内の通信能力情報等を基にＩＳＤＮの通信規格に基づき通信制御を行う（ステップＳ１０２）。
【００５５】
システム制御プログラム８１３は、ジョブを監視してアイドル状態か否かを判断する（ステップＳ１０３）。
【００５６】
ここで、ＣＰＵ９２がアイドル状態でない場合（ステップＳ１０３でＮＯ）は、引き続きジョブを処理し（ステップＳ１０２）、アイドル状態となった場合（ステップＳ１０３でＹＥＳ）は、ＣＰＵ９２は、ＣＰＵ内蔵ＲＯＭ９３に格納された受信判断プログラム９７を起動する（プログラムカウンタの値を２０００００ｈ（図３のメモリマップ（１）における受信判断プログラム９７の先頭アドレス）にする（ステップＳ１０４）。
【００５７】
そして、ＣＰＵ９２は、ＳＵＢ電源ユニット４をＯＦＦする制御信号を生成し、出力ポート９５を介してＳＵＢ電源ユニット４に出力する（ステップＳ１０５）。
【００５８】
この段階で、ＩＳＤＮ網制御部５は、常時電源ユニット３から給電されるＬａｙｅｒ１制御部９１、ＣＰＵ９２、出力ポート９５のみで稼動する待機モードへ移行する。
【００５９】
待機モード中、受信判断プログラム９７は、ＩＳＤＮ網７からのＳＥＴＵＰフレーム受信を監視する（ステップＳ１０６）。
【００６０】
ここで、受信フレームがＳＥＴＵＰフレーム以外の場合は、受信フレームを廃棄し引き続き監視を行い（ステップＳ１０６でＮＯ）、ＳＥＴＵＰフレームを受信した場合（ステップＳ１０６でＹＥＳ）は、ＳＥＴＵＰフレームの情報を解析する（ステップＳ１０７）。
【００６１】
ここでは、端末主機能部２が処理可能な通信機能の一覧と、受信したＳＥＴＵＰフレームで要求された通信機能を比較して受信能力の判断を行う（ステップＳ１０８）。
【００６２】
通信能力が無いと判断した場合（ステップＳ１０８でＮＯ）、受信したＳＥＴＵＰフレームを廃棄し再度ＩＳＤＮ網７からのフレーム受信待ちとなる。
【００６３】
通信能力が有ると判断した場合（ステップＳ１０８でＹＥＳ）、ＣＰＵ９２は、ＳＵＢ電源ユニット４の電源をＯＮにする制御信号を生成し、出力ポート９５を介してＳＵＢ電源ユニット４へ出力する（ステップＳ１０９）。
【００６４】
この時点で、ＩＳＤＮ網制御部５は、待機モードから通常モードに復帰する。
【００６５】
そして、ＣＰＵ９２は、給電が再開されたＲＯＭ８１内のシステム制御プログラム８１３を起動する。（プログラムカウンタの値を０５００００ｈ（図３のメモリマップ（１）におけるＬａｙｅｒ２／３制御プログラムやＢｃｈデータ制御プログラム格納領域の先頭アドレス）にする（ステップＳ１１０）。
【００６６】
Ｌａｙｅｒ２／３制御プログラム８１１は、ＩＳＤＮ規格に基づいてフレームの同期制御を行う（ステップＳ１１１）。
【００６７】
そして、Ｂｃｈデータ制御プログラム８１２によりデータ通信を行う（ステップＳ１１２）。
【００６８】
以降、常時電源ユニット３およびＳＵＢ電源ユニット４が共にＯＦＦにならない間は（ステップＳ１１３でＮＯ）、ステップＳ１０２のジョブ処理およびステップＳ１０３のアイドル状態の監視に戻る。
【００６９】
常時電源ユニット３およびＳＵＢ電源ユニット４が共にＯＦＦになると（ステップＳ１１３でＹＥＳ）通信制御処理を終了する。
【００７０】
次に、ＩＳＤＮ網制御部５の第１の動作例における、ＩＳＤＮ網７とＩＳＤＮ網制御部５との間でのメッセージシーケンスについて説明する。
【００７１】
図５は、ＩＳＤＮ網制御部５とＩＳＤＮ網７との間のシーケンス図（１）である。
【００７２】
ＩＳＤＮ網制御部５は、常時電源ユニット３およびＳＵＢ電源ユニット４の電源ＯＮによる初期化を行い通常モードでの稼動を開始する。
【００７３】
ＳＥＴＵＰフレームを受信すると通信能力を判断し、通信可能な場合は呼確立制御を開始する。
【００７４】
そして、ＩＳＤＮの通信規格に基づくＬａｙｅｒ２／３レベルでの通信制御を実施し、同期確立後にＢｃｈ通信（ＦＡＸデータ通信等）によるデータ通信を行う。
【００７５】
Ｂｃｈ通信完了後は、次のＳＥＴＵＰフレームを受信するか逆に送信する間、ＩＳＤＮの通信規格に基づくＬａｙｅｒ２／３レベルでの通信制御、同期確立後にＢｃｈ通信（ＦＡＸデータ通信等）によるデータ通信処理を繰り返し処理する。
【００７６】
逆に、ＳＥＴＵＰフレームの受信が無い状態や送信データが無い状態（アイドル状態）を検出すると、ＣＰＵ９２は、ＣＰＵ内蔵ＲＯＭ９３の受信判断プログラム９７へ制御処理を移行し、電源ＯＦＦの制御信号を生成して出力ポート９５を介してＳＵＢ電源ユニット４に出力する。
【００７７】
ＳＵＢ電源給電部８のＲＯＭ８１、ＲＡＭ８２、ＤＰＲＡＭ８３は、ＳＵＢ電源ユニット４の電源ＯＦＦにより給電が遮断された状態となり待機モードに移行する。
【００７８】
以後、ＣＰＵ内蔵ＲＯＭ９３の受信判断プログラム９７が、ＳＥＴＵＰフレームの受信を監視し、通信能力の有無を判断する。
【００７９】
待機モード中に受信したＳＥＴＵＰフレームを解析して通信能力が有ると判断した場合は、ＳＵＢ電源ユニット４の電源ＯＮの制御信号を生成して出力ポート９５を介してＳＵＢ電源ユニット４へ出力する。
【００８０】
また、受信判断プログラム９７からシステム制御プログラム８１３へ制御処理を移行し、通常モードでの稼動に復帰する。
【００８１】
給電が再開されたＲＯＭ８１内のＬａｙｅｒ２／３制御プログラム８１１によりＬａｙｅｒ２／３通信および、Ｂｃｈデータ制御プログラム８１２によるデータ通信処理が行われる。
【００８２】
次に、ＩＳＤＮ網制御部５の第２の構成例を示し、その時のＩＳＤＮ網制御部５の第２、第３、第４の動作例について順に説明する。
【００８３】
図６は、ＩＳＤＮ網制御部５の第２の構成例を示したブロック図である。
【００８４】
図２に示したＩＳＤＮ網制御部５の第１の構成例との相違点は、ＲＯＭ８１に受信判断プログラム８１４が追加された点と、ＣＰＵ９２は、ＣＰＵ内蔵ＲＡＭ９４のみの構成とした点である。
【００８５】
この構成によると、ＩＳＤＮ網制御部５のＲＯＭ８１の受信判断プログラム８１４が、待機中は、ＣＰＵ内蔵ＲＡＭ９４にダウンロードされた受信判断プログラム９７として稼動することが可能となる。
【００８６】
図７は、ＩＳＤＮ網制御部５が第２の構成で動作する時のメモリ空間の概略を示したメモリマップ（２）である。
【００８７】
図３に示したメモリマップ（１）との相違点は、ＲＯＭ記憶領域ｍ２１に受信判断プログラム８１４の格納領域（先頭アドレス：０ＦＦ８００ｈ）が追加された点である。
【００８８】
また、ＣＰＵ内蔵ＲＡＭ記憶領域ｍ２３が、待機モード時に受信判断プログラム８１４がダウンロードされる領域（先頭アドレス：２０００００ｈ）と、ワークメモリで構成される点である。
【００８９】
ここで、ＲＯＭ８１の受信判断プログラム８１４が、ＣＰＵ内蔵ＲＡＭ９４にダウンロードされるタイミングは、ＩＳＤＮ網制御部５の初期化時に行う場合（第２の動作例）と、待機モードへの移行時に行う場合（第３の動作例）がある。
【００９０】
最初に、第２の動作例について説明する。
【００９１】
図８は、ＩＳＤＮ網制御部５の第２の動作例を示した処理フロー（２）である。
【００９２】
常時電源ユニット３およびＳＵＢ電源ユニット４がＯＮになると、ＣＰＵ９２は、ＲＯＭ８１に記憶されているシステム制御プログラム８１３を起動してＲＡＭ８２やＣＰＵ内蔵ＲＡＭ９４の初期化を行う（ステップＳ２０１）。
【００９３】
そして、システム制御プログラム８１３は、ＲＯＭ８１に記憶されている受信判断プログラム８１４をＣＰＵ９２内蔵ＲＡＭに対してダウンロードする（ステップＳ２０２）。
【００９４】
通常モードとして起動したＩＳＤＮ網制御部５は、ＩＳＤＮの通信規格に基づいて、Ｌａｙｅｒ１制御部９１、Ｌａｙｅｒ２／３制御プログラム８１１、Ｂｃｈデータ制御プログラム８１２と、ＲＡＭ８２内の通信能力情報を基に通信制御のジョブを順次処理する（ステップＳ２０３）。
【００９５】
システム制御プログラム８１３は、ジョブを監視してアイドル状態か否かを判断する（ステップＳ２０４）。
【００９６】
以降、スッテプＳ２０５からステップＳ２１４迄の処理フローは、図４に示した処理フロー（１）のステップＳ１０４からステップＳ１１３迄の処理ステップと同一となる。
【００９７】
次に、ＩＳＤＮ網制御の第２の動作例における、ＩＳＤＮ網７とＩＳＤＮ網制御部５との間でのシーケンスについて説明する。
【００９８】
図９は、ＩＳＤＮ網制御部５とＩＳＤＮ網７との間のシーケンス図（２）である。
【００９９】
ＩＳＤＮ網制御部５は、常時電源ユニット３およびＳＵＢ電源ユニット４がＯＮによる初期化を行い通常モードでの稼動を開始する。
【０１００】
このとき、システム制御プログラム８１３は、初期化終了と同時に、ＲＯＭ８１の受信判断プログラム８１４をＣＰＵ内蔵ＲＡＭ９４にダウンロードされる。
【０１０１】
ＳＥＴＵＰフレームを受信すると通信能力を判断し、通信可能な場合は呼確立制御を開始する。
【０１０２】
Ｌａｙｅｒ２／３通信によるＩＳＤＮの通信規格に基づく同期制御を実施し、同期確立後にＢｃｈ通信（ＦＡＸデータ通信等）によるデータ通信を行う。
【０１０３】
Ｂｃｈ通信完了後は、次のＳＥＴＵＰフレームを受信するか逆に送信する間、ＩＳＤＮの通信規格に基づくＬａｙｅｒ２／３レベルでの通信制御、同期確立後にＢｃｈ通信（ＦＡＸデータ通信等）によるデータ通信処理を繰り返し処理する。
【０１０４】
逆に、ＳＥＴＵＰフレームの受信が無い状態や送信データが無い状態（アイドル状態）を検出すると、ＣＰＵ９２は、ＣＰＵ内蔵ＲＡＭ９４の受信判断プログラム９７へ制御処理を移行し、電源ＯＦＦの制御信号を生成し、出力ポート９５を介してＳＵＢ電源ユニット４に出力する。
【０１０５】
ＳＵＢ電源給電部８のＲＯＭ８１、ＲＡＭ８２、ＤＰＲＡＭ８３は、ＳＵＢ電源ユニット４のＯＦＦにより給電が遮断された状態となる待機モードに移行する。
【０１０６】
以後、ＣＰＵ内蔵ＲＡＭ９４の受信判断プログラム９７が、ＳＥＴＵＰフレームの受信を監視し、通信能力の有無を判断する。
【０１０７】
待機モード中に受信したＳＥＴＵＰフレームを解析して通信能力が有ると判断した場合は、電源ＯＮの制御信号を出力ポート９５を介してＳＵＢ電源ユニット４へ出力する。
【０１０８】
また、受信判断プログラム９７からシステム制御プログラム８１３へ制御処理を移行し、通常モードでの稼動に復帰する。
【０１０９】
給電が再開されたＲＯＭ８１内のＬａｙｅｒ２／３制御プログラム８１１によりＬａｙｅｒ２／３通信および、Ｂｃｈデータ制御プログラム８１２によるデータ通信処理が行われる。
【０１１０】
以上、ＩＳＤＮ網制御部５の第２の構成例によると、揮発性のＣＰＵ内蔵ＲＡＭ９４を適用することにより、受信判断プログラム９７の更新は、ダウンロードにより書き換えが容易となる。
【０１１１】
次に、ＩＳＤＮ網制御部５の第３の動作例について説明する。
【０１１２】
図１０は、ＩＳＤＮ網制御部５の第３の動作例での処理フロー（３）である。
【０１１３】
図８に示した処理フロー（２）との相違点は、アイドル状態を検出して待機モードに移行する直前で、ＲＯＭ８１の受信判断プログラム８１４をＣＰＵ内蔵ＲＡＭ９４へダウンロードする点である。
【０１１４】
常時電源ユニット３およびＳＵＢ電源ユニット４がＯＮになると、ＣＰＵ９２は、システム制御プログラム８１３を起動してＲＡＭ８２やＣＰＵ内蔵ＲＡＭ９４の初期化を行う（ステップＳ３０１）。
【０１１５】
通常モードで起動したＩＳＤＮ網制御部５は、Ｌａｙｅｒ１制御部９１、Ｌａｙｅｒ２／３制御プログラム８１１、Ｂｃｈデータ制御プログラム８１２と、ＲＡＭ８２内の通信能力情報等を基に通信制御のジョブを処理する（ステップＳ３０２）。
【０１１６】
システム制御プログラム８１３は、ジョブを監視してアイドル状態か否かを判断する（ステップＳ３０３）。
【０１１７】
ここで、アイドル状態でない場合（ステップＳ３０３でＮＯ）は、引き続き残りのジョブを処理し（ステップＳ３０２）、アイドル状態となった場合（ステップＳ３０３でＹＥＳ）は、ＲＯＭ８１に記憶された受信判断プログラム８１４（図７のメモリマップ（２）の先頭アドレス：０ＦＦ８００ｈ）をＣＰＵ内蔵ＲＡＭ９４（図７のメモリマップ（２）の先頭アドレス：２０００００ｈ）にダウンロードする（ステップＳ３０４）。
【０１１８】
そして、ＣＰＵ内蔵ＲＡＭ９４に格納された受信判断プログラム９７を起動する（プログラムカウンタの値を２０００００ｈ（図３のメモリマップ（１）における受信判断プログラム９７の先頭アドレス）にする（ステップＳ３０５）。
【０１１９】
以降、ステップＳ３０６からステップＳ３１４までの処理手順は、図８に示す処理フロー（２）のステップＳ２０６からステップＳ２１４までの処理ステップと同一である。
【０１２０】
図１１は、ＩＳＤＮ網制御部５とＩＳＤＮ網７との間のシーケンス図（３）である。
【０１２１】
ＩＳＤＮ網制御部５は、常時電源ユニット３およびＳＵＢ電源ユニット４の電源ＯＮによる初期化を行い通常モードでの稼動を開始する。
【０１２２】
そして、ＳＥＴＵＰフレームを受信すると通信能力を判断し、通信可能な場合は呼確立制御を開始する。
【０１２３】
ＩＳＤＮの通信規格に基づくＬａｙｅｒ２／３通信制御を実施し、同期確立後にＢｃｈ通信（ＦＡＸデータ通信等）によるデータ通信を行う。
【０１２４】
Ｂｃｈ通信完了後は、次のＳＥＴＵＰフレームを受信するか逆に送信する間、ＩＳＤＮの通信規格に基づくＬａｙｅｒ２／３レベルでの通信制御、同期確立後にＢｃｈ通信（ＦＡＸデータ通信等）によるデータ通信処理を繰り返し処理する。
【０１２５】
逆に、ＳＥＴＵＰフレームの受信が無い状態や送信データが無い状態（アイドル状態）を検出すると、ＣＰＵ９２は、ＲＯＭ８１の受信判断プログラム８１４をＣＰＵ内蔵ＲＡＭ９４にダウンロードする。
【０１２６】
そして、ＣＰＵ９２は、受信判断プログラム９７へ制御処理を移行し、電源ＯＦＦの制御信号を生成してＳＵＢ電源ユニット４に出力する。
【０１２７】
ＳＵＢ電源給電部８のＲＯＭ８１、ＲＡＭ８２、ＤＰＲＡＭ８３は、ＳＵＢ電源ユニット４の電源ＯＦＦにより給電が遮断された状態となり待機モードに移行する。
【０１２８】
以後、ＣＰＵ内蔵ＲＡＭ９４の受信判断プログラム９７が、ＳＥＴＵＰフレームの受信を監視するとともに通信能力の有無を判断する。
【０１２９】
受信判断プログラム９７は、待機モード中に受信したＳＥＴＵＰフレームを解析して通信能力が有ると判断した場合は、電源ＯＮの制御信号を生成して出力ポート９５を介してＳＵＢ電源ユニット４へ出力する。
【０１３０】
ＣＰＵ９２は、受信判断プログラム９７からシステム制御プログラム８１３へ制御処理を移行し、通常モードでの稼動に復帰する。
【０１３１】
そして、給電が再開されたＲＯＭ８１内のＬａｙｅｒ２／３制御プログラム８１１によりＬａｙｅｒ２／３通信および、Ｂｃｈデータ制御プログラム８１２は、ＩＳＤＮの通信規格に基づきデータ通信を行う。
【０１３２】
以上、この発明におけるＩＳＤＮ網制御部５の第２の構成例と処理フロー（３）、処理シーケンス（３）を適用することにより、待機状態へ移行直前で、ＣＰＵ９２内蔵メモリへプログラムをダウンロードすることで、通常動作時には、このＣＰＵ９２内蔵メモリの領域を他の用途（通常動作制御時の記憶領域）として有効使用することが可能である。
【０１３３】
次に、ＩＳＤＮ網制御部５の第４の動作例について説明する。
【０１３４】
ＩＳＤＮ網制御部５の第４の動作例の特徴は、待機モードにおいて、ＩＳＤＮ通信規格のＬａｙｅｒ１レベルでの通信制御と、ＣＰＵ９２の製造メーカが提供するＣＰＵ９２本体の省エネルギー機能を組み合わせて消費電力の低減化をはかることである。
【０１３５】
図１２は、ＩＳＤＮ網制御部５の第４の動作例を示す処理フロー（４）である。
【０１３６】
常時電源ユニット３およびＳＵＢ電源ユニット４がＯＮになると、ＣＰＵ９２は、システム制御プログラム８１３を起動してＲＡＭ８２やＣＰＵ内蔵ＲＡＭ９４の初期化を行う（ステップＳ４０１）。
【０１３７】
通常モードとして起動したＩＳＤＮ網制御部５は、Ｌａｙｅｒ１制御部９１、Ｌａｙｅｒ２／３制御プログラム８１１、Ｂｃｈデータ制御プログラム８１２と、ＲＡＭ８２内の通信能力情報等を基に通信制御のジョブを処理する（ステップＳ４０２）。
【０１３８】
システム制御プログラム８１３は、ジョブを監視してアイドル状態か否かを判断する（ステップＳ４０３）。
【０１３９】
ここで、アイドル状態でない場合（ステップＳ４０３でＮＯ）は、引き続き残りのジョブを処理し（ステップＳ４０２）、アイドル状態となった場合（ステップＳ４０３でＹＥＳ）は、ＲＯＭ８１の受信判断プログラム８１４をＣＰＵ内蔵ＲＡＭ９４にダウンロードし（ステップＳ４０４）、ＣＰＵ内蔵ＲＡＭ９４に格納された受信判断プログラム９７を起動する（プログラムカウンタの値を２０００００ｈ（図７のメモリマップ（２）における受信判断プログラム９７の先頭アドレス）にする（ステップＳ４０５）。
【０１４０】
ＣＰＵ９２は、ＳＵＢ電源ユニット４をＯＦＦにする制御信号を生成しＳＵＢ電源ユニット４に出力する（ステップＳ４０６）。
【０１４１】
この段階で、ＩＳＤＮ網制御部５は、常時電源ユニット３から給電されるＬａｙｅｒ１制御部９１、ＣＰＵ９２、出力ポート９５のみの稼動となる待機モードへ移行する。
【０１４２】
Ｌａｙｅｒ１制御部９１は、ＩＳＤＮの通信規格におけるＬａｙｅｒ１レベルでの信号を監視する。
【０１４３】
ここで、受信信号がＩＮＦＯ−０（信号無しの意味）を受信した場合（ステップＳ４０７でＹＥＳ）、Ｌａｙｅｒ１制御部９１は、ＣＰＵ９２を省エネルギーモード（ＣＰＵ９２内部のＣＬＫ周波数を低くしたり、命令をＳＴＯＰする）にする為の制御信号をＣＰＵ９２に出力する。
【０１４４】
一方、受信信号がＩＮＦＯ−０以外の場合（ステップＳ４０７でＮＯ）、ＣＰＵ９２が省エネルギーモードの場合（ステップＳ４０８でＹＥＳ）、Ｌａｙｅｒ１制御部９１は、ＣＰＵ９２へ割り込み信号を出力することによりＣＰＵ９２を通常モードに復帰させる（ステップＳ４０９）。
【０１４５】
ＣＰＵ９２が省エネルギーモードでない場合（ステップＳ４０８でＮＯ）、また、ＣＰＵ９２が省エネルギーモードから復帰した後に、ＩＳＤＮ網７からのＳＥＴＵＰフレーム受信の監視を行う（ステップＳ４１０）。
【０１４６】
ここで、受信したフレームがＳＥＴＵＰフレームの場合（ステップＳ４１０でＹＥＳ）、ＳＥＴＵＰフレームの情報を解析する（ステップＳ４１１）。
【０１４７】
一方、ＳＥＴＵＰフレーム以外のフレームを受信した場合は（ステップＳ４１０でＮＯ）、受信フレームを廃棄してＬａｙｅｒ１レベルでの信号監視処理（ステップＳ４０７）に戻る。
【０１４８】
受信判断プログラム９７が、受信したＳＥＴＵＰフレームを解析した結果、通信能力が無いと判断した場合（ステップＳ４１２でＮＯ）、受信フレームを廃棄してＬａｙｅｒ１レベルで信号監視処理（ステップＳ４０７）に戻る。
【０１４９】
逆に、受信判断プログラム９７が、通信能力が有ると判断した場合（ステップＳ４１２でＹＥＳ）、ＳＵＢ電源ユニット４の電源をＯＮする制御信号を生成して、出力ポート９５を介してＳＵＢ電源ユニット４へ出力する（ステップＳ４１３）。
【０１５０】
この時点で、ＩＳＤＮ網制御部５は、待機モードから通常モードへ復帰する。
【０１５１】
ＣＰＵ９２は、給電が再開されたＲＯＭ８１内のＬａｙｅｒ２／３制御プログラム８１１を起動する。（プログラムカウンタの値を０５００００ｈ（図７のメモリマップ（２）における受信判断プログラム９７の先頭アドレス）にする（ステップＳ４１４）。
【０１５２】
Ｌａｙｅｒ２／３制御プログラム８１１は、ＩＳＤＮの通信規格に基づいてＬａｙｅｒ２／３レベルでの通信制御を行う（ステップＳ４１５）。
【０１５３】
そして、Ｂｃｈデータ制御プログラム８１２によりデータ通信を行う（ステップＳ４１６）。
【０１５４】
以降、常時電源ユニット３およびＳＵＢ電源ユニット４が共にＯＦＦにならない間は（ステップＳ４１７でＮＯ）、ステップＳ４０２のジョブ処理およびステップＳ４０３のアイドル状態の監視処理に戻る。
【０１５５】
常時電源ユニット３およびＳＵＢ電源ユニット４が共にＯＦＦになると（ステップＳ４１７でＹＥＳ）ＩＳＤＮ網７の通信制御処理を終了する。
【０１５６】
次に、ＩＳＤＮ網制御部５の第４の動作例におけるＩＳＤＮ網７とＩＳＤＮ網制御部５との間における信号の流れについて説明する。
【０１５７】
図１３は、ＩＳＤＮ網制御部５とＩＳＤＮ網７との間のシーケンス図（４）であり、ＩＳＤＮ網制御部５は、電源投入による起動後、ただちにアイドル状態となり待機モードへ移行し、さらに、ＣＰＵの省エネルギーモードへ移行するシーケンス図である。
【０１５８】
ＩＳＤＮ網制御部５は、常時電源ユニット３およびＳＵＢ電源ユニット４の電源ＯＮによる初期化を行い通常モードでの稼動を開始する。
【０１５９】
ＣＰＵ９２は、アイドル状態を検出すると、ＲＯＭ８１の受信判断プログラム８１４をＣＰＵ内蔵ＲＡＭ９４にダウンロードして受信判断プログラム９７へ制御処理を移行し、電源ＯＦＦの制御信号をＳＵＢ電源ユニット４に出力する。
【０１６０】
ＳＵＢ電源給電部８のＲＯＭ８１、ＲＡＭ８２、ＤＰＲＡＭ８３は、ＳＵＢ電源ユニット４の電源ＯＦＦにより給電が遮断された状態となり、ＩＳＤＮ網制御部５は、待機モードに移行する。
【０１６１】
さらに、待機モード中は、Ｌａｙｅｒ１制御部９１が、ＩＳＤＮ通信規格のＬａｙｅｒ１レベルの信号を監視し、ＩＮＦＯ−０を受信すると、Ｌａｙｅｒ１制御部９１はＣＰＵ９２を省エネルギーモードに移行するための制御信号をＣＰＵ９２に出力する。
【０１６２】
Ｌａｙｅｒ１制御部９１は、ＩＳＤＮ網７からＩＮＦＯ−２（起動信号）或いは、ＩＮＦＯ−４（通常フレーム）の信号受信を監視する。
【０１６３】
そして、ＩＳＤＮ網７からＩＮＦＯ−２或いは、ＩＮＦＯ−４の何れかの信号受信を検知すると、Ｌａｙｅｒ１制御部９１は、ＣＰＵ９２の省エネルギーモードを解除する為の割り込み信号を生成してＣＰＵ９２に出力する。
【０１６４】
割り込み信号を受信したＣＰＵ９２は、省エネルギーモードを解除して通常モードに復帰する。
【０１６５】
そして、ＩＳＤＮ網７の呼出し側に対して、ＩＮＦＯ−３（応答）の信号を返す。
【０１６６】
ＩＳＤＮ網制御部５からのＩＮＦＯ−３を受信したＩＳＤＮ網７側は、ＳＥＴＵＰフレームをＩＳＤＮ網制御部５に対して送信する。
【０１６７】
ＳＥＴＵＰフレームを受信したＣＰＵ内蔵ＲＡＭ９４の受信判断プログラム９７は、受信したＳＥＴＵＰフレームを解析し、ＣＰＵ内蔵ＲＡＭ９４内に記憶された通信能力を参照して、通信能力の有無を判断する。
【０１６８】
受信判断プログラム９７が受信可能と判断した場合は、ＳＵＢ電源ユニット４をＯＮに制御する信号を生成し、出力ポート９５を介してＳＵＢ電源ユニット４に出力する。
【０１６９】
受信判断プログラム９７は、ＳＵＢ電源ユニット４からの給電が再開されたＲＯＭ８１内のシステム制御プログラム８１３へ制御処理を移行して通常モードに復帰する。
【０１７０】
そして、給電が再開されたＲＯＭ８１内のＬａｙｅｒ２／３制御プログラム８１１によりＬａｙｅｒ２／３通信および、Ｂｃｈデータ制御プログラム８１２によるデータ通信処理が行われる。
【０１７１】
以上、上記第４の動作例でのＩＳＤＮ網制御部５の構成と処理フロー（４）、シーケンス図（４）を適用することにより、ＳＵＢ電源ユニット３からの給電を遮断したＩＳＤＮ網制御部５の待機時において、Ｌａｙｅｒ１レベルがＩＮＦＯ−０信号を検出して、ＣＰＵ９２本体を省エネルギーモードに移行することが可能となり、待機中においても、さらにＣＰＵ９２レベルでの消費電力の低減をはかれる。
【０１７２】
なお、図６に示したＩＳＤＮ網７制御部５の第２の構成は、ＣＰＵ内蔵ＲＡＭ９４にダウンロードされる受信判断プログラム９７は、予めＲＯＭ８１に記憶される構成以外にも、外部記憶媒体に記憶するプログラムであったり、ネットワーク接続によるデータ通信によって受信後、ＣＰＵ内蔵ＲＡＭ９４にダウンロードする構成としてもよい。
【０１７３】
上記第１から第４の動作例を適用することにより、ＩＳＤＮ網制御部５は、常時電源ユニット３から給電される素子と、ＳＵＢ電源ユニット４から給電される素子にグループ分けを行うことで、待機時には常時電源ユニット３のみの給電でＣＰＵ９２、Ｌａｙｅｒ１制御部９１、出力ポート９５のみを動作させ、待機時のプログラムは少量のＣＰＵ内蔵ＲＯＭ９３或いはＣＰＵ内蔵ＲＡＭ９４で動作させることが可能となる。
【０１７４】
従って、待機中にＳＵＢ電源ユニット４から給電されるＲＯＭ８１、ＲＡＭ８２、ＤＰＲＡＭ８３での無駄な消費電力を無くすことが可能となり消費電力の低減をはかれる。
【０１７５】
【発明の効果】
本発明に関わる通信制御装置および通信制御方法によれば、通信制御装置における待機中の消費電力の低減化を達成することが可能となる。
【図面の簡単な説明】
【図１】通信端末装置の構成を示すブロック図である。
【図２】ＩＳＤＮ網制御部の第１の構成を示すブロック図である。
【図３】ＩＳＤＮ網制御部の第１の構成における、ＣＰＵが参照するメモリ空間を示すメモリマップ（１）である。
【図４】ＩＳＤＮ網制御部の第１の動作例を示す処理フロー（１）である。
【図５】ＩＳＤＮ網制御部の第１の動作例におけるＩＳＤＮ網制御部とＩＳＤＮ網側との間の信号の流れを示したシーケンス図（１）である。
【図６】ＩＳＤＮ網制御部の第２の構成を示すブロック図である。
【図７】ＩＳＤＮ網制御部の第２の構成における、ＣＰＵが参照するメモリ空間を示すメモリマップ（２）である。
【図８】ＩＳＤＮ網制御部の第２の動作例を示す処理フロー（２）である。
【図９】ＩＳＤＮ網制御部の第２の動作例におけるＩＳＤＮ網制御部とＩＳＤＮ網側との間の信号の流れを示したシーケンス図（２）である。
【図１０】ＩＳＤＮ網制御部の第３の動作例を示す処理フロー（３）である。
【図１１】ＩＳＤＮ網制御部の第３の動作例におけるＩＳＤＮ網制御部とＩＳＤＮ網側との間の信号の流れを示したシーケンス図（３）である。
【図１２】ＩＳＤＮ網制御部の第４の動作例を示す処理フロー（４）である。
【図１３】ＩＳＤＮ網制御部の第４の動作例におけるＩＳＤＮ網制御部とＩＳＤＮ網側との間の信号の流れを示したシーケンス図（４）である。
【符号の説明】
１　　ＭＡＩＮ電源ユニット
２　　端末主機能部
２１　　ＣＰＵ（１）
２２　　プログラムＲＯＭ（１）
２３　　メモリ（１）
２４　　操作／表示部
２５　　Ｇ３通信制御部
２６　　Ｇ４通信制御部
２７　　画像出力部
２８　　画像入力部
３　　常時電源ユニット
４　　ＳＵＢ電源ユニット
５　　ＩＳＤＮ網制御部
６　　システムバス
７　　ＩＳＤＮ網
８　　ＳＵＢ電源給電部
８１　　ＲＯＭ（外部メモリ）
８１１　　Ｌａｙｅｒ２／３制御プログラム
８１２　　Ｂｃｈデータ制御プログラム
８１３　　システム制御プログラム
８１４　　受信判断プログラム（ＯＲＧ）
８２　　ＲＡＭ
８３　　ＤＰＲＡＭ
９　　常時電源給電部
９１　　Ｌａｙｅｒ１制御部
９２　　ＣＰＵ
９３　　ＣＰＵ内蔵ＲＯＭ
９４　　ＣＰＵ内蔵ＲＡＭ
９５　　出力ポート
９７　　受信判断プログラム（ダウンロード）
９８　　ＷＯＲＫメモリ
１０　　ローカルバス
ｍ１１　　ＲＯＭ記憶領域
ｍ１２　　ＲＡＭ記憶領域
ｍ１３　　ＣＰＵ内蔵ＲＯＭ記憶領域
ｍ１４　　ＣＰＵ内蔵ＲＡＭ記憶領域
ｍ１５　　外部記憶領域
ｍ２１　　ＲＯＭ記憶領域
ｍ２２　　ＲＡＭ記憶領域
ｍ２３　　ＣＰＵ内蔵ＲＡＭ記憶領域
ｍ２４　　外部記憶領域
【図１】
2004112640.tif 000003
【図２】
2004112640.tif 000004
【図３】
2004112640.tif 000005
【図４】
2004112640.tif 000006
【図５】
2004112640.tif 000007
【図６】
2004112640.tif 000008
【図７】
2004112640.tif 000009
【図８】
2004112640.tif 000010
【図９】
2004112640.tif 000011
【図１０】
2004112640.tif 000012
【図１１】
2004112640.tif 000013
【図１２】
2004112640.tif 000014
【図１３】
2004112640.tif 000015